(57)【要約】【課題】複数の単ケーブルを有するケーブルコネクタを容易に小型化する。【解決手段】ケーブル整列部品２は、前端２１，後端２２と、上面２３，下面２４と、前端２１に沿って延設された前壁３０と、前壁３０の左右両端部から前方に向けて延設された第１および第２の肩部３１，３２と、後端２２から前壁３０にかけて上面２３に形成された複数の第１溝部２７とを備え、各々の第１溝部２７は、前壁３０に形成された複数の第２溝部３３，３４に至る。さらに、第１溝部２７は、複数の電線１１，１３を受容可能であり、前壁３０に基板４が係合されて第１溝部２７に複数の電線１１，１３が受容されるときに、各々の電線１１，１３が複数の第２溝部３３，３４のうちの互いに異なる第２溝部３３，３４を通り、複数の電線１１，１３に対応して基板４の上面に設けられた電線接続部４７ａ，４７ｖ，４８に至るように構成される。【選択図】図６
2014127460.tif 000002
【特許請求の範囲】
【請求項１】
前端およびその反対側の後端と、
上面およびその反対側の下面と、
前記前端に沿って延設され、基板の後端部に係合する前壁と、
前記前壁の左右両端部から前方に向けて延設され、前記基板の後端部の左右両側面がそれぞれ係合する第１および第２の肩部と、
前記後端から前記前壁にかけて前記上面に形成された複数の第１溝部であって、その各々の第１溝部が、該第１溝部に対応して前記前壁に形成された複数の第２溝部に至る複数の第１溝部と、を備え、
前記複数の第１溝部の各々は、複数の電線を受容可能であり、前記前壁に前記基板が係合されて該第１溝部に前記複数の電線が受容されるときに、該複数の電線の各々が前記複数の第２溝部のうちの互いに異なる第２溝部を通り、前記複数の電線の各々に対応して前記基板の上面に設けられた電線接続部に至るように構成された、ケーブル整列部品。
【請求項２】
前記上面に形成された前記複数の第１溝部および該複数の第１溝部の各々に対応して形成された前記複数の第２溝部は、それぞれ第１の複数の第１溝部および第１の複数の第２溝部であり、前記第１の複数の第１溝部の各々に受容可能な複数の電線は、第１の複数の電線であり、
前記後端から前記前壁にかけて前記下面に形成された第２の複数の第１溝部であって、その各々の第１溝部が、該第１溝部に対応して前記前壁に形成された第２の複数の第２溝部に至る第２の複数の第１溝部をさらに備え、
前記第２の複数の第１溝部の各々は、第２の複数の電線を受容可能であり、前記前壁に前記基板が係合されて該第１溝部に前記第２の複数の電線が受容されるときに、該第２の複数の電線の各々が前記第２の複数の第２溝部のうちの互いに異なる第２溝部を通り、前記第２の複数の電線の各々に対応して前記基板の下面に設けられた電線接続部に至るように構成された、請求項１に記載のケーブル整列部品。
【請求項３】
前記複数の電線は、２本の信号導体と接地導体を含み、
前記複数の第１溝部の各々に対応する前記複数の第２溝部は、前記２本の信号導体と接地導体をそれぞれ受容する３つの溝部により構成され、前記複数の第１溝部の各々は、前記３つの溝部に至る、請求項１または２に記載のケーブル整列部品。
【請求項４】
請求項１〜３のいずれか１項に記載のケーブル整列部品と、
前記ケーブル整列部品の前記前壁に係合する基板と、
前記ケーブル整列部品の前記複数の第１溝部の各々に受容される複数の信号導体および接地導体と、を有するケーブル組立体。
【請求項５】
前記ケーブル整列部品の前記前壁に形成される前記複数の第２溝部は、左右方向に並設された複数の信号導体溝部および接地導体溝部により構成され、
前記複数の信号導体および前記接地導体は、前記複数の信号導体溝部および前記接地導体溝部にそれぞれ受容され、前記前壁よりも前方において整列して配置される、請求項４に記載のケーブル組立体。
【請求項６】
前記複数の信号導体は、前後方向に延在する左右一対の信号導体であり、前記接地導体は、前記左右一対の信号導体の間に配置されて前後方向に延在し、
前記接地導体溝部は、前記複数の信号導体溝部の左右側方に配置され、
前記ケーブル整列部品は、前記前壁の後方に、前記接地導体を前記接地導体溝部まで導くガイド部を有する、請求項５に記載のケーブル組立体。
【請求項７】
前記複数の信号導体および前記接地導体は、それぞれ２本の信号導体および２本の接地導体であり、
前記複数の信号導体溝部は、前記２本の信号導体をそれぞれ受容する２つの信号導体溝部であり、
前記接地導体溝部は、前記２本の接地導体を受容する１つの接地導体溝部である、請求項５または６に記載のケーブル組立体。
【請求項８】
前記基板は、前記複数の信号導体の前端部がそれぞれ接続される複数の信号導体接続部と、前記接地導体の前端部が接続される接地導体接続部とを有し、
前記前壁と前記接地導体接続部との間で、前記複数の信号導体と前記接地導体とを互いに絶縁する絶縁部をさらに有する、請求項５〜７のいずれか１項に記載のケーブル組立体。
【請求項９】
前記接地導体接続部は、前記複数の信号導体接続部よりも前方に配置されている、請求項８に記載のケーブル組立体。
【発明の詳細な説明】
【技術分野】
【０００１】
本発明は、複数の信号導体および接地導体等の電線を有するケーブルコネクタに用いられるケーブル整列部品およびケーブル組立体に関する。
【背景技術】
【０００２】
近年、大容量の記憶装置を有する小型化された電子機器の普及に伴い、多くの信号導体および接地導体等の電線を有し、かつ、高速伝送が可能なケーブルコネクタの需要が高まっている。この種のケーブルコネクタは小型化が要求されるため、コネクタ内部の基板に、高密度に信号導体および接地導体を導通接続する必要がある。
【０００３】
例えば特許文献１には、複数の信号導体が貫通する信号導体用受容孔と接地導体が貫通する接地導体用受容孔とが異なる高さに開口された整列板により、これら信号導体と接地導体を位置決めし、基板に導通接続するようにしたケーブルコネクタが記載されている。
【先行技術文献】
【特許文献】
【０００４】
【特許文献１】特開２００９−７６３７５号公報
【発明の概要】
【発明が解決しようとする課題】
【０００５】
しかしながら、上記特許文献１記載のケーブルコネクタにおいては、信号導体用受容孔と接地導体用受容孔とが整列板の異なる高さに開口されるので、整列板が高さ方向に大型化し、ケーブルコネクタを小型化することが困難である。
【０００６】
本発明の目的は、ケーブルコネクタを容易に小型化することができる、ケーブル整列部品およびケーブル組立体を提供することである。
【課題を解決するための手段】
【０００７】
本発明の一態様は、前端およびその反対側の後端と、上面およびその反対側の下面と、前端に沿って延設され、基板の後端部に係合する前壁と、前壁の左右両端部から前方に向けて延設され、基板の後端部の左右両側面がそれぞれ係合する第１および第２の肩部と、後端から前壁にかけて上面に形成された複数の第１溝部であって、その各々の第１溝部が、第１溝部に対応して前壁に形成された複数の第２溝部に至る複数の第１溝部と、を備え、複数の第１溝部の各々は、複数の電線を受容可能であり、前壁に基板が係合されて第１溝部に複数の電線が受容されるときに、複数の電線の各々が複数の第２溝部のうちの互いに異なる第２溝部を通り、複数の電線の各々に対応して基板の上面に設けられた電線接続部に至るように構成された、ケーブル整列部品である。
【０００８】
また、本発明の別の態様は、上記ケーブル整列部品と、ケーブル整列部品の前壁に係合する基板と、ケーブル整列部品の複数の第１溝部の各々に受容される複数の信号導体および接地導体と、を有するケーブル組立体である。
【発明の効果】
【０００９】
本発明によれば、ケーブル整列部品に、複数の電線を受容可能な第１溝部と、第１溝部に対応して前壁に形成された複数の第２溝部とを設けるようにしたので、複数の電線を左右方向に整列して配置することができ、ケーブルコネクタを容易に小型化することができる。
【図面の簡単な説明】
【００１０】
【図１】本発明の実施形態に係るケーブル組立体の全体構成を示す斜視図。
【図２】図１の一部を分解して示す斜視図。
【図３Ａ】図１のケーブル組立体の上面図。
【図３Ｂ】図１のケーブル組立体の側面図。
【図３Ｃ】図１のケーブル組立体の底面図。
【図４】ケーブルの内部構成を示す図１のIV-IV線断面図。
【図５】図４の単ケーブルの内部構成を示す断面図。
【図６】本発明の実施形態に係るケーブル整列部品の構成を示す斜視図。
【図７】本発明の実施形態に係るケーブル整列部品の構成を示す斜視図。
【図８】図６のVIII-VIII線に沿った部分断面図。
【図９】図１の変形例であるケーブル組立体の斜視図。
【図１０】図９の絶縁ブロックの構成を示す斜視図。
【図１１】図１の他の変形例であるケーブル組立体の斜視図。
【図１２】他の単ケーブルへの適用例を示すケーブル整列部品の要部断面図。
【発明を実施するための形態】
【００１１】
以下、図１〜図１２を参照して本発明の実施の形態について説明する。図１は、本発明の実施形態に係るケーブル組立体１００の全体構成を示す斜視図であり、図２は、図１の一部（基板）を分解して示す斜視図である。このケーブル組立体１００は、例えば導電材料の金属によって構成された図示しないシェルによって周囲が覆われ、高速伝送が可能な小型のケーブルコネクタ（例えば外付け用Ｍｉｎｉ−ＳＡＳコネクタ）を構成する。この種のケーブルコネクタは、高速伝送に適した大径（例えばＡＷＧ♯２８，ＡＷＧ♯２６およびＡＷＧ♯２４）の信号導体および接地導体が多数含まれるため、ケーブル組立体１００には、信号導体および接地導体の高密度での配置（高密度化）が要求される。
【００１２】
なお、以下では、図示のようにケーブル組立体１００の長さ方向を前後方向、幅方向を左右方向、高さ方向を上下方向とそれぞれ定義し、この定義にしたがい各部の構成を説明する。これらの方向は、説明をわかりやすくするために便宜上定めたにすぎず、実際の方向がこれに限定されるものではない。前後方向は、ケーブルコネクタの挿脱方向に相当する。図１は、ケーブル組立体１００を斜め上方から見た図であり、図２は、斜め下方から見た図である。
【００１３】
図１，２に示すように、ケーブル組立体１００は、複数（８本）の単ケーブル１０を含むケーブル１と、複数の単ケーブル１０を整列して配置するケーブル整列部品２と、各単ケーブル１０が電気的に接続される基板４とを有する。なお、各々の単ケーブル１０の構成は互いに同一であるが、同一でなくてもよい。
【００１４】
図３Ａ〜図３Ｃは、それぞれケーブル組立体１００の上面図、側面図および底面図である。図３Ａ〜図３Ｃに示すように、単ケーブル１０は、ケーブル整列部品２を介して上下２列に分かれて配置されている。すなわち、ケーブル整列部品２の上側に４本の単ケーブル１０（以下、上ケーブル群１０１と呼ぶ）が、下側に４本の単ケーブル１０（以下、下ケーブル群１０２と呼ぶ）が、それぞれ左右方向に整列して配置されている。
【００１５】
図４は、ケーブル１の内部構成を示す図１のIV-IV線断面図である。図４に示すように、ケーブル１は、リング形状の外被層５の内側にリング形状の外部遮蔽層６を配置し、さらにその内側に周方向に複数（８本）の単ケーブル１０を配置して構成されている。外部遮蔽層６と単ケーブル１０との間には介在物７が配置され、単ケーブル１０，１０間の隙間が埋められている。
【００１６】
外被層５の構成材としては、例えばＰＶＣ（ポリ塩化ビニル）を用いることができる。なお、オレフィン系材料や、絶縁性の編糸スリーブを用いることもできる。外部遮蔽層６は、電気的遮蔽を行うために導電材料によって構成される層であり、その構成材としては、例えば錫メッキ軟銅線を編組したものとアルミ貼りポリエステルフィルムとを組み合わせたものを用いることができる。なお、これらの一方のみを用いてもよく、銅貼りポリエステルフィルムや銅箔を用いることもできる。介在物７の構成材としては、例えばジュート、紙、糸、プラスチック製の紐等を用いることができる。なお、外部遮蔽層６の内側に抑え巻を配置し、介在物７の周囲を覆うようにしてもよい。
【００１７】
ケーブル１の先端部は、前処理として外被層５および外部遮蔽層６が剥かれ、外被層５から外部遮蔽層６が露出し、外部遮蔽層６から８本の単ケーブル１０が露出する。複数の単ケーブル１０のうち、上側の４本の単ケーブル１０が上ケーブル群１０１となり、下側の４本の単ケーブル１０が下ケーブル群１０２となる。
【００１８】
図５は、単ケーブル１０の内部構成の一例を示す断面図である。図５に示すように単ケーブル１０は、一対の信号導体１１および各信号導体１１の周囲を覆う一対の絶縁体１２からそれぞれ構成される一対の信号線１５と、１本の接地導体１３と、絶縁体１２と接地導体１３の全体を覆う内部遮蔽１４とを有する。なお、信号導体１１は、高速伝送に適した外径（例えば直径０．３ｍｍ程度）を有し、この外径は接地導体１３の外径とほぼ等しい。
【００１９】
接地導体１３は、一対の絶縁体１２の外周面と内部遮蔽１４の内周面とに接して配置されている。各単ケーブル１０の信号導体１１と接地導体１３の位置関係は互いに等しい。すなわち、上ケーブル群１０１および下ケーブル群１０２のいずれにおいても、各単ケーブル１０の接地導体１３は、それぞれ一対の信号導体１１の左右方向中間、かつ、一対の信号導体１１の上方に位置する。
【００２０】
信号導体１１の構成材としては、例えば錫メッキ軟銅線を用いることができる。なお、メッキなしの軟銅線または銅合金を用いることもでき、錫メッキの代わりに銀メッキを施すこともできる。アルミや鉄等の材料にメッキを施したものを用いることもできる。信号導体１１は、撚り線でも単線でもよい。絶縁体１２の構成材としては、例えばポリエチレンやポリプロピレンなどのオレフィン系材料を用いることができる。なお、ＰＴＦＥ（ポリテトラフルオロエチレン）、ＥＴＦＥ（テトラフルオロエチレン・エチレン共重合体）、ＦＥＰ（ポリフロロエチレンプロピレン）、ＰＦＡ（パーフロロアルキコシ）等のフッ素系材料を用いることもできる。誘電率および誘電損失を低減する目的で、絶縁体１２を発泡させることもでき、絶縁フィラーを混錬した材料を用いることもできる。
【００２１】
接地導体１３は、接地線の取り出しを容易にするためにケーブル１０の長さ方向に沿って縦添えする金属線であり、その構成材としては、例えば錫メッキ軟銅線を用いることができる。内部遮蔽１４は、接地導体１３と電気的に接続する金属層と、その外側の絶縁被覆層とを一体にラミネートしたものであり、その構成材としては、例えば銅箔ラミネートＰＥＴフィルムやアルミニウム蒸着ＰＥＴフィルムを用いることができる。なお、銅箔からなる金属層とＰＥＴフィルムからなる絶縁被覆層を互いに独立して設けることもでき、ＰＥＴフィルムの代わりに、ＰＶＣを用いることもできる。
【００２２】
各単ケーブル１０の先端部は、前処理として内部遮蔽１４および絶縁体１２が剥かれ、内部遮蔽１４から絶縁体１２と接地導体１３とが露出し、絶縁体１２から信号導体１１が露出する。これにより図２に示すように、ケーブル整列部品２の前面から複数の信号導体１１および接地導体１３が前方に突出する。このとき、接地導体１３の先端部が信号導体１１の先端部よりも前方に位置するように突出長さが調整される。接地導体１３が突出した状態では、接地導体１３に絶縁チューブ１６が取り付けられ、前壁３０の前方において、接地導体１３が信号導体１１から絶縁される。
【００２３】
信号導体１１と接地導体１３の前後左右方向の位置は、ケーブル整列部品２により規制される。図６，図７は、それぞれケーブル整列部品２の単体の構成を示す斜視図である。図６，７に示すように、ケーブル整列部品２は、前端２１および後端２２と、上面２３および下面２４と、左右の側面２５，２６とを有し、全体が略直方体形状を呈するケーブル受容部２０と、前端２１に沿って左右方向に延設された前壁３０とを備える。ケーブル整列部品２は、例えば電気絶縁性を有する樹脂を構成材として、樹脂成形によって一体に形成され、上下方向にほぼ対称形状をなしている。なお、ケーブル整列部品２は、耐熱性樹脂によって構成されることが好ましい。
【００２４】
前壁３０は、ケーブル受容部２０の左右側面２５，２６よりも左右方向外側に突出し、かつ、ケーブル受容部２０の上下面２３，２４よりも上下方向外側に突出している。前壁３０の前面には、左右両端部から前方に向けて一対の肩部３１，３２が突設されている。肩部３１，３２の上下方向中央部の左右内側面には、それぞれ前後方向に凹部３１ａ，３２ａが形成され、この凹部３１ａ，３２ａに連なり、前壁３０の上下方向中央部の前面には、左右方向全体にわたり凹部３０ａが形成されている。凹部３０ａ〜３２ａには、基板４の後端部が嵌合される。
【００２５】
ケーブル受容部２０の上下面２３，２４には、後端２２から前壁３０にかけて、それぞれ単ケーブル１０に対応した数（４個）のスロット形状の第１溝部２７，２８が前後方向に延設されている。これら複数の第１溝部２７，２８は、それぞれ左右方向等間隔に延在している。第１溝部２７，２８の幅は、単ケーブル１０の左右方向長さとほぼ等しく、深さは、単ケーブル１０の上下方向長さとほぼ等しい。第１溝部２７，２８には、それぞれ上ケーブル群１０１および下ケーブル群１０２の単ケーブル１０が受容される。
【００２６】
ケーブル受容部２０の後端部には、上下方向および左右方向に突出した突出部２０ａが設けられている。図３Ｂに示すように、突出部２０ａの上下端面の高さは、前壁３０および肩部３１，３２の上下端面の高さとほぼ等しく、ケーブル受容部２０には、突出部２０ａと前壁３０および肩部３１，３２との間に凹部２０ｂが形成される。第１溝部２７，２８にそれぞれ単ケーブル１０を受容した後、凹部２０ｂの周囲に全周にわたり絶縁テープ（不図示）が巻かれ、単ケーブル１０が固定される。凹部２０ｂを設けたことで、絶縁テープがケーブル整列部品２の上下端面および左右側面から突出することを防止できる。また、絶縁テープの装着位置が規制され、絶縁テープの装着が容易となる。
【００２７】
図７に示すように、ケーブル受容部２０の前面の前壁３０には、一対の信号導体１１がそれぞれ受容される一対の溝３３（信号導体溝と呼ぶ）と、接地導体１３が受容される溝３４（接地導体溝と呼ぶ）とが、前壁３０を前後方向に貫通して設けられている。これら溝３３，３４は、前壁３０の上縁３０ｂまたは下縁３０ｃから上下方向にかけて形成され、各溝３３，３４の上下方向深さは互いに同一である。なお、これら溝３３，３４は、各々の第１溝部２７，２８に対応して設けられ、第２溝部を構成する。
【００２８】
一対の信号導体溝３３は、第１溝部２７，２８に受容された単ケーブル１０の信号導体１１の位置に一致して設けられている。すなわち、一対の信号導体溝３３は、一対の信号導体１１の延長上に位置し、左右方向に並設されている。信号導体溝３３の幅は、信号導体１１の幅とほぼ等しく、第１溝部２７，２８の上方または下方から信号導体１１を折り曲げることなく溝３３の底部まで、信号導体１１を挿入可能である。
【００２９】
一方、接地導体溝３４は、一対の信号導体溝３３の左右側方（右側）に設けられている。各接地導体溝３４の入口側（上下縁３０ｂ，３０ｃ側）には、右方に膨出した膨出部３４ａが形成され、溝３４の入口側の幅は奥側よりも狭くなっている。溝３４の底部は、接地導体１３に装着された絶縁チューブ１６（図１）とほぼ同形状である円弧状に形成されている。絶縁チューブ１６は、径方向に弾性変形させられながら、膨出部３４ａよりも溝３４の奥方に押し込まれる。絶縁チューブ１６が押し込まれた状態では、膨出部３４ａにより絶縁チューブ１６の上下方向の位置が拘束されるとともに、膨出部３４ａが接地導体１３の抜け止めとして機能する。
【００３０】
図５に示すように、単ケーブル１０の接地導体１３は左右の信号導体１１の左右方向中間かつ上方に位置する。このため、第１溝部２７に単ケーブル１０を受容した状態では、接地導体１３と接地導体溝３４との左右方向の位置が異なり、接地導体溝３４が接地導体１３よりも右側に位置する。本実施形態では、この接地導体１３を接地導体溝３４へ容易に挿入可能とするため、以下のようにケーブル受容部２０を構成する。
【００３１】
図８は、ケーブル受容部２０の前端部の構成を示す図６のVIII-VIII線に沿った部分断面図である。なお、図８の一部には、参考のため、ケーブル整列部品２に配列される信号線１５（信号導体１１、絶縁体１２）、接地導体１３および絶縁チューブ１６をそれぞれ実線で示している。
【００３２】
図３Ａ，図６，図８に示すように、ケーブル受容部２０の上面２３には、各接地導体溝３４の後方にそれぞれガイド溝３５が設けられている。ガイド溝３５の深さは第１溝部２７よりも浅く、その左側面は第１溝部２７の前端部に連なり、ガイド溝３５を介して第１溝部２７と接地導体溝３４とが連通している。これによりケーブル受容部２０の前端部において、上ケーブル群１０１の接地導体１３をガイド溝３５に沿って右方および前方に順次折り曲げることで、接地導体１３が右側の絶縁体１２の上方を通って、信号導体１１との絶縁を保ったまま接地導体溝３４に導かれる。このため、ケーブル整列部品２の上面側における接地導体１３の接地導体溝３４への挿入が容易となる。
【００３３】
一方、図３Ｃ，図８に示すように、ケーブル受容部２０の下面２４には、各接地導体溝３４の後方にそれぞれガイド溝３６が設けられている。ガイド溝３６は、第１溝部２８よりも深く、かつ、左側の信号導体溝３３の近傍にかけて形成され、ガイド溝３６を介して第１溝部２８と接地導体溝３４とが連通している。これによりケーブル受容部２０の前端部において、下ケーブル群１０２の接地導体１３をガイド溝３５に沿って右方、下方および前方に順次折り曲げることで、接地導体１３が右側の絶縁体１２の上方（ケーブル整列部品２との間）を通って、信号導体１１との絶縁を保ったまま接地導体溝３４に導かれる。このため、ケーブル整列部品２の下面側における接地導体１３の接地導体溝３４への挿入が容易となる。
【００３４】
次に、基板４の構成について説明する。図３Ａ〜図３Ｃに示すように、基板４は、上面４１および下面４２を有する略矩形平板形状のプリント基板である。図２に示すように、基板４の後端部４３には、ケーブル整列部品２の凹部３０ａ〜３２ａに対応して挿入部４４が設けられている。図１に示すように、挿入部４４は凹部３０ａ〜３２ａに挿入されて、挿入部４４の左右側面および後端面が凹部３０ａ〜３２ａの底面に当接し、これによりケーブル整列部品２に対する基板４の位置が規制される。
【００３５】
図３Ａ、図３Ｃに示すように、基板４は、上面４１および下面４２にそれぞれ形成された所定パターンの複数の導電性配線４５（一部省略）を有する。配線４５の前端部には、相手側コネクタとの接点となる複数のパッド４６（コネクタパッドと呼ぶ）が左右方向等間隔に形成されている。配線４５の後端部には、前壁３０から突出する各信号導体１１の位置に対応し、信号導体１１との接点となる左右一対の４組（上下合わせると８組）のパッド４７ａ，４７ｂ（それぞれ信号導体パッドと呼ぶ）が左右方向等間隔に形成されている。信号導体パッド４７ａ，４７ｂは、それぞれ左右一対の配線４５ａ，４５ｂを介してコネクタパッド４６に接続されている。
【００３６】
配線４５ａ、４５ｂは上下面４１，４２にそれぞれ４組あり、各組の配線４５ａ，４５ｂは、信号導体パッド４７ａ，４７ｂの前方において左右方向の間隔が縮められ、１組の配線４５ａ，４５ｂとこれに隣接する他の組の配線４５ａ，４５ｂとの間の左右方向の隙間が拡大している。この隙間に、前壁３０から突出する各接地導体１３の位置に対応し、接地導体１３との接点となるパッド４８（接地導体パッドと呼ぶ）が形成されている。接地導体パッド４８を信号導体パッド４７ａ，４７ｂの前方に配置することで、基板４上の限られたスペースに十分な大きさの接地導体パッド４８を形成することができ、接地導体１３の半田付け作業が容易となる。なお、信号導体パッド４７ａ，４７ｂおよび接地導体パッド４８は、それぞれ信号導体接続部および接地導体接続部を構成する。
【００３７】
次に、ケーブル組立体１００の組立手順の一例について説明する。まず、単ケーブル１０の信号導体１１および接地導体１３を露出した状態で、ケーブル整列部品２の第１溝部２７，２８に、上ケーブル群１０１および下ケーブル群１０２を構成する複数の単ケーブル１０をそれぞれ受容する。この受容状態で、信号導体１１の周囲の絶縁体１２の前端面を前壁３０の後端面に当接させ、ケーブル整列部品２に対する単ケーブル１０の前後方向の位置を規制するとともに、左右一対の信号導体溝３３に左右一対の信号導体１１をそれぞれ挿入し、図２に示すように前壁３０から信号導体１１を突出させる。
【００３８】
このとき、上ケーブル群１０１の接地導体１３を一旦上方に折り曲げて、接地導体１３に絶縁チューブ１６を装着する。さらに、図８に示すように、接地導体１３を右方に折り曲げ、右側の絶縁体１２の上方を通ってガイド溝３５に導入し、絶縁チューブ１６とともに接地導体１３を前方に折り曲げ、絶縁チューブ１６を接地導体溝３４の膨出部３４ａの奥方に押し込む。これにより、図２に示すように上ケーブル群１０１の接地導体１３を前壁３０から突出させる。
【００３９】
一方、下ケーブル群１０２の接地導体１３は、単ケーブル１０を第１溝部２８に受容する際に左方かつ下方に折り曲げておく。これにより接地導体１３は、ガイド溝３６に沿って右側の絶縁体１２の上方かつ右方を経由し、下方に突出する。この状態で、接地導体１３に絶縁チューブ１６を装着し、さらに絶縁チューブ１６とともに接地導体１３を前方に折り曲げ、絶縁チューブ１６を接地導体溝３４の膨出部３４ａの奥方に押し込む。これにより、図２に示すように下ケーブル群１０２の接地導体１３を前壁３０から突出させる。
【００４０】
この場合、信号導体１１および接地導体１３は、ケーブル整列部品２の前壁３０にそれぞれ位置決めして保持される。このため、前壁３０の前方において、左右一対の信号導体１１と接地導体１３を互いに所定間隔を空けて配置することができる。したがって、信号導体１１同士および信号導体１１と接地導体１３の接触を防止することができるとともに、信号導体１１および接地導体１３の基板４への半田付けが容易となる。また、単ケーブル１０の信号導体１１および接地導体１３がケーブル整列部品２に整列して配置されることで、単ケーブル１０の特性インピーダンスのばらつきを抑えることができる。
【００４１】
なお、ケーブル受容溝２７，２８に単ケーブル１０を受容した後、接地導体１３に絶縁チューブ１６を装着する前に、凹部２０ｂ（図３ｂ）に絶縁テープを巻いて、単ケーブル１０をケーブル整列部品２に固定するようにしてもよい。これにより上ケーブル群１０１および下ケーブル群１０２の接地導体１３に絶縁チューブ１６を容易に装着することができる。
【００４２】
信号導体溝３３および接地導体溝３４にそれぞれ信号導体１１および接地導体１３を挿入した後、図２に示すように、ケーブル整列部品２の凹部３０ａ〜３２ａに基板４の挿入部４４を係合し、固定する。なお、ケーブル整列部品２に基板４を係合し、固定した後に、単ケーブル１０を第１溝部２７，２８に受容し、信号導体１１と接地導体１３を溝３３，３４に挿入するようにしてもよい。前壁３０の左右両端部にそれぞれ肩部３１，３２を設け、前壁３０の前面と肩部３１，３２の左右内側面に凹部３０ａ〜３２ａを形成したので、基板４の嵌合範囲が広がり、基板４をケーブル整列部品２に精度よく、かつ、強固に固定できる。
【００４３】
その後、信号導体１１を信号導体パッド４７ａ，４７ｂに、接地導体１３を接地導体パッド４８にそれぞれ半田付けする。接地導体パッド４８は信号導体パッド４７ａ，４７ｂの前方に設けられているので、各パッド４７ａ，４７ｂ，４８の面積を確保しつつ、これらパッド４７ａ，４７ｂ，４８を基板４上に高密度に配置することができる。これにより信号導体１１と接地導体１３の基板４への半田付けが容易になるとともに、ケーブル組立体１００の小型化が可能となる。以上で、ケーブル組立品１００の組立が完了する。
【００４４】
本実施形態によれば以下のような作用効果を奏することができる。
（１）ケーブル整列部品２は、前端２１および後端２２と、上面２３および下面２４と、前端２１に沿って延設された前壁３０と、前壁３０の左右両端部から前方に突設され、基板４の後端部の左右両側面がそれぞれ係合する肩部３１，３２と、後端２２から前壁３０にかけて上面２３および下面にそれぞれ形成された第１溝部２７，２８とを備え、各第１溝部２７，２８は、前壁３０に形成された複数の第２溝部（信号導体溝３３、接地導体溝３４）に至る。したがって、第１溝部２７，２８に単ケーブル１０を受容すると、各単ケーブル１０の信号導体１１および接地導体１３が、互いに異なる信号導体溝３３、接地導体溝３４を通って、肩部３１，３２に係合された基板４上のパッド（信号導体パッド４７ａ，４７ｂ、接地導体パッド４８）にそれぞれ至る。
【００４５】
これにより信号導体１１と接地導体１３とが前壁３０の溝３３，３４によって同一高さで位置決めされ、前壁３０からパッド４７ａ，４７ｂ，４８にかけて各信号導体１１と接地導体１３とを左右方向に整列して配置することができる。このため、ケーブル整列部品２の高さを抑え、信号導体１１および接地導体１３を基板４上に位置精度よく高密度に配置することができ、ケーブルコネクタの小型化が可能である。すなわち、例えば接地導体１３を信号導体１１に対し重ねて配置する構成では、接地導体１３の位置が高くなり、ケーブル整列部品が高さ方向に大型化するが、本実施形態では、信号導体１１と接地導体１３を略同一高さのまま整列するので、ケーブル整列部品２の高さを抑えることができる。また、信号導体１１および接地導体１３は比較的大径のままパッド４７ａ，４７ｂ，４８まで延在するので、信号の高速伝送特性の悪化を抑制できる。
【００４６】
（２）各第１溝部２７，２８の前方の前壁３０に、左右一対の信号導体溝３３と接地導体溝３４とを左右方向に並設し、左右一対の信号導体１１と接地導体１３とをこれら溝３３，３４にそれぞれ受容して前壁３０の前方において整列して配置するようにした。これにより、多数の信号導体１１と接地導体１３を、所定間隔を空けて効率的に配置することができ、多芯のケーブルコネクタに用いて好適である。
【００４７】
（３）接地導体溝３４を左右一対の信号導体溝３３の左右側方に配置するとともに、ケーブル整列部品２の前壁３０の後方に、接地導体１３を接地導体溝３４まで導くガイド溝３５，３６を設けるようにした。これにより左右一対の信号導体１１の間に位置する接地導体１３を、ガイド溝３５，３６を介してスムーズに接地導体溝３４に導くことができる。
【００４８】
（４）基板４上に、信号導体１１の前端部が接続される信号導体パッド４７ａ，４７ｂと、接地導体１３の前端部が接続される接地導体パッド４８とを設けるとともに、接地導体１３に絶縁チューブ１６を装着するようにした。これにより基板４上に信号導体１１と接地導体１３とを高密度に配置した場合において、前壁３０と接地導体パッド４８との間で信号導体１１と接地導体１３との良好な絶縁状態を確保することができる。
【００４９】
（５）接地導体パッド４８を信号導体パッド４７ａ，４７ｂよりも前方に設けるようにしたので、パッド４７ａ，４７ｂ，４８を十分な大きさに形成することができ、信号導体１１および接地導体１３とパッド４７ａ，４７ｂ，４８との半田付け作業を容易かつ確実に行うことができる。
【００５０】
（６）単一部品であるケーブル整列部品２がケーブル受容部２０と前壁３０とを有し、ケーブル整列部品２により単ケーブル１０の保持と信号導体１１および接地導体１３の位置決めとを行うようにした。したがって、例えばケーブル１に上下方向の曲げ力が作用した場合に、絶縁体１２の先端部において信号導体１１に作用する曲げ応力を低減することができる。その結果、信号導体１１および接地導体１３の断線や半田付け部の剥離等を防止することができ、安定した導通接続状態を維持できる。これに対し、例えば単ケーブル１０を保持する保持部品と信号導体１１および接地導体１３を位置決めする位置決め部品とを別体として設けた場合には、ケーブル１に上下方向の曲げ力が作用すると、保持部品が位置決め部品に対して変位し、信号導体１１および接地導体１３に作用する曲げ応力が大きくなりやすい。
【００５１】
なお、上記実施形態では、接地導体１３に絶縁チューブ１６を装着し、前壁３０と接地導体パッド４８との間で信号導体１１と接地導体１３との絶縁を確保するようにしたが、絶縁部の構成はこれに限らない。図９は、図１の変形例であり、絶縁部の他の構成を示すケーブル組立体１００の斜視図である。図９では、接地導体１３に絶縁チューブ１６を装着する代わりに、基板４の上面４１および下面４２にそれぞれ絶縁材からなる絶縁ブロック５０が配置されている。
【００５２】
図１０は、上面４１に配置される絶縁ブロック５０の構成を示す斜視図である。なお、図示は省略するが、下面４２に配置される絶縁ブロック５０の構成は図１０と同一である。図１０に示すように、絶縁ブロック５０は、左右方向に延在する略矩形状の板部５１と、板部５１の下面から下方に突出する複数（５個）の脚部５２とを有する。板部５１の左右方向の幅は、ケーブル整列部品２の左右肩部３１，３２の内側の幅に等しい。複数の脚部５２は、左右方向等間隔に配置され、脚部５２と板部５１の間に断面コ字状の空間部５３が形成されている。板部５１の上面には、前壁３０の接地導体溝３４の位置に対応して複数（４個）の溝部５４が前後方向に延設されている。
【００５３】
絶縁ブロック５０は、信号導体１１を基板上の信号導体パッド４７ａ，４７ｂに半田付けした後に、基板上の肩部３１，３２の内側に左右方向に位置決めして配置される。また、絶縁ブロック５０の後端面は前壁３０の前面に当接され、絶縁ブロック５０は前後方向にも位置決めして配置される。このように絶縁ブロック５０を配置した状態では、空間部５３の下方に信号導体パッド４７ａ，４７ｂが位置する。一方、接地導体１３は絶縁ブロック上面の溝部５４に受容され、溝部５４により位置決めされて絶縁ブロック５０の前方に延在する。この状態で、接地導体１３が接地導体パッド４８に半田付けされる。これにより、基板４上の絶縁ブロック５０を介して左右一対の信号導体１１と接地導体１３とを確実に絶縁することができる。
【００５４】
図１１は、絶縁部の他の構成を示すケーブル組立体１００の斜視図である。図１１では、基板４の上面側および下面側の４本の接地導体１３に、それぞれ絶縁テープ５５が巻かれ、接地導体１３は絶縁テープ５５により絶縁されている。図１１に示すように、接地導体１３の先端部は絶縁テープ５５から前方に突出し、この先端部が接地導体パッド４８に半田付けされる。このように絶縁テープ５５を用いれば、前壁３０と接地導体パッド４８との間で接地導体１３を容易に絶縁することができる。
【００５５】
なお、上記の一連の実施形態では、ケーブル整列部品２の上面２３および下面２４に、単ケーブル１を構成する信号導体３３および接地導体３４（複数の電線）を受容可能な複数の第１溝部２７，２８と、各第１溝部２７，２８に対応して前壁３０に形成され、複数の信号導体３３と接地導体３４の各々が受容される複数の第２溝部３３，３４とをそれぞれ設けるようにした。すなわち、ケーブル整列部品２の上面２３に、複数の第１溝部２７（第１の複数の第１溝部）と複数の第２溝部３３，３４（第１の複数の第２溝部）とを設け、各第１溝部２７に信号導体１１と接地導体１３（第１の複数の電線）を受容するとともに、ケーブル整列部品２の下面２４に、複数の第１溝部２８（第２の複数の第１溝部）と複数の第２溝部３３，３４（第２の複数の第２溝部）とを設け、各第１溝部２８に信号導体１１と接地導体１３（第２の複数の電線）を受容するようにした。しかしながら、ケーブル整列部品２の構成はこれに限らず、例えば、上面２３のみ、または下面２４のみに第１溝部と第２溝部を設けるようにしてもよい。第１溝部２７，２８をスロット状に形成したが、第１溝部の構成はこれに限らない。例えば平坦面上に左右方向等間隔に凸部を突設し、隣り合う凸部の間の凹部が第１溝部を構成するようにしてもよい。
【００５６】
前壁３０の左右両端部から前方に向けて延設され、基板４の後端部の左右両側面がそれぞれ係合するのであれば、肩部３１，３２（第１および第２の肩部）の構成は上述したものに限らない。前壁３０に基板４が係合され、信号導体１１および接地導体１３を有する単ケーブル１０が第１溝部２７，２８に受容されるときに、信号導体１１および接地導体１３の各々が互いに異なる第２溝部３３，３４を通り、基板４上に設けられたパッド２７ａ，２７ｂ，２８（電線接続部）に至るように構成されるのであれば、信号導体溝３３および接地導体溝３４の構成は上述したものに限らない。信号導体溝３３の左右側方に接地導体溝３４を配置したが、溝３３，３４の配置はこれ以外であってもよい。
【００５７】
各第１溝部２７，２８に対応して前壁３０に３つの溝部（信号導体溝３３、接地導体溝３４）を形成したが、第２溝部の数を、単ケーブル１０内の電線の数に応じて変更してもよい。上記実施形態では、単ケーブル１０を、２本の信号導体１１と１本の接地導体１３とを含むように構成したが、単ケーブル１０の構成はこれに限らず、例えば２本の信号導体１１と２本の接地導体１３とを含むようにしてもよい。この場合、接地導体１３同士は絶縁させる必要はないため、例えば図１２に示すように、２本の接地導体１３を同一の接地導体溝３４に受容するようにしてもよい。複数の電線である信号導体１１と接地導体１３を単ケーブル１０の状態で第１溝部２７，２８に受容したが、これら電線同士の絶縁を保った状態とするのであれば、複数の電線をそのまま第１溝部２７，２８に受容してもよい。
【００５８】
上記実施形態では、ケーブル整列部品２の前壁３０の後方にガイド溝３５，３６を設けるようにしたが、接地導体１３を接地導体溝３４まで導くのであれば、ガイド部の構成は上述したものに限らない。基板４上に、一対の信号導体１１の前端部が接続される複数の信号導体パッド４７ａ，４７ｂ（信号導体接続部）と、接地導体１３の前端部が接続される接地導体パッド４８（接地導体接続部）とを設け、接地導体パッド４８を信号導体パッド４７ａ，４７ｂよりも前方に配置するようにしたが、信号導体接続部と接地導体接続部の構成はこれに限らない。上記実施形態では、信号導体１１と接地導体１３をケーブル整列部品２に整列して配置するようにしたが、本発明のケーブル整列部品は、他の電線を配置する場合にも同様に適用することができる。
【００５９】
以上の説明はあくまで一例であり、本発明の特徴を損なわない限り、上述した実施形態および変形例により本発明が限定されるものではない。上記実施形態および変形例の構成要素には、発明の同一性を維持しつつ置換可能かつ置換自明なものが含まれる。すなわち、本発明の技術的思想の範囲内で考えられる他の形態についても、本発明の範囲内に含まれる。また、上記実施形態と変形例の１つまたは複数を任意に組み合わせることも可能である。
【符号の説明】
【００６０】
１    ケーブル
２    ケーブル整列部品
４    基板
１０    単ケーブル
１１    信号導体
１３    接地導体
１６    絶縁チューブ
２１    前端
２２    後端
２３    上面
２４    下面
２７，２８    第１溝部
３０    前壁
３１，３２    肩部
３３    信号導体溝（第２溝部）
３４    接地導体溝（第２溝部）
３５，３６    ガイド溝
４７ａ，４７ｂ    信号導体パッド（信号導体接続部）
４８    接地導体パッド（接地導体接続部）
１００    ケーブル組立体
【図１】
2014127460.tif 000003
【図２】
2014127460.tif 000004
【図３Ａ】
2014127460.tif 000005
【図３Ｂ】
2014127460.tif 000006
【図３Ｃ】
2014127460.tif 000007
【図４】
2014127460.tif 000008
【図５】
2014127460.tif 000009
【図６】
2014127460.tif 000010
【図７】
2014127460.tif 000011
【図８】
2014127460.tif 000012
【図９】
2014127460.tif 000013
【図１０】
2014127460.tif 000014
【図１１】
2014127460.tif 000015
【図１２】
2014127460.tif 000016